(57)【特許請求の範囲】
【請求項１】
庫内に商品収納ラックを搭載したキャビネットの前面に扉ロック装置付きの外扉を備え、かつ該外扉の裏面にコインメカニズム,ビルバリデータ,キャッシュボックス、および制御ボックスを設置した自動販売機において、前記外扉に設けた扉ロック装置を、常時はキーの施錠操作による商用電源の通電で外扉を閉位置にロックするとともに、キーの解錠操作によりロックを解除し、商用電源の停止時にロックを解除するよう作動する自動ロック装置となし、商用電源が停止した非常時に自動ロック装置による外扉のロックを解除し、外扉を開いて機内から商品を自由に取り出せるようにしたことを特徴とする自動販売機。
【請求項２】
請求項１記載の自動販売機において、自動ロック装置が、外扉の閉位置でキャビネットから前面に突き出したフックと掛かり合う掛け穴付きスライダと、通電により前記スライダをロック位置に引き上げるソレノイドとからなり、かつ前記ソレノイドと商用電源との間に、外扉に設けたハンドル錠の施錠,解錠に合わせてＯＮ，ＯＦＦ動作するキースイッチの接点を接続したことを特徴とする自動販売機。
【請求項３】
請求項１記載の自動販売機において、コインメカニズム,ビルバリデータ,キャッシュボックス、および制御ボックスを外扉の裏面側に集中して配備し、かつこれら機器を覆って外扉の裏面側に扉式の防盗カバーを設置するとともに、該防盗カバーに対し、商品電源の停止時に防盗カバーを閉位置にロックする自動ロック装置を設けたことを特徴とする自動販売機。
【請求項４】
請求項３記載の自動販売機において、自動ロック装置が、防盗カバーの閉位置で該カバーに取付けたフックと掛かり合う掛け穴付きスライダと、通電により前記スライダをロック位置に引き上げるソレノイドとからなり、かつ前記ソレノイドを商用電源に接続したことを特徴とする自動販売機。
【請求項５】
庫内に商品収納ラックを搭載したキャビネットの前面に扉ロック装置付きの外扉を備えた自動販売機において、外扉の一角に非常扉を設けてその内側に外扉の扉ロック装置に連結した手動式の扉開放ハンドルを組み込むとともに、前記非常扉に対し、常時は商用電源の通電で非常扉を閉位置にロックし、商用電源の停止時にロックを解除するよう作動する自動ロック装置を設けたことを特徴とする自動販売機。
【発明の詳細な説明】
【０００１】
【発明の属する技術分野】
本発明は、震災などの大規模災害が発生してその地域のライフラインが停止した場合に、飲料，食品供給源として対応できるようにした災害対策用の自動販売機に関する。
【０００２】
【従来の技術】
自動販売機には、缶，壜入りの各種飲料，あるいはスナック食品などの自動販売機がある。また、自動販売機の普及化に伴い、現在では市街地を含めた全国規模で飲料販売用の自動販売機が隈なく展開して街頭，建物内のロケーション先に設置されている。
【０００３】
ここで、一般的な缶飲料自動販売機の従来構成を図４(a),(b) に示す。図において、１は自動販売機のキャビネット、２はキャビネット１の前面に配した外扉、３は断熱内扉、４はキャビネットの庫内に搭載したサーペンタイン式商品収納ラックであり、周知のように前面外扉２には商品見本５を陳列したディスプレイ室６，商品選択ボタン７，商品取出口８，および操作パネル９を備えている。
【０００４】
この操作パネル９には、外扉２の裏面側に配置したコインメカニズム１０，ビルバリデータ１１に対応するコイン投入口１０ａ，紙幣投入口１１ａ，返金レバー１２，および外扉２を開閉する錠（シリンダ錠）付きハンドル１３を備えている。なお、１４はコインメカニズム１０と並置して外扉２の裏面側に備えたキャッシュボックス、１５は制御ボックスである。また、外扉２の裏面側には前記ハンドル１３に連結してそのハンドル操作により上下移動する掛け金１３ａを備え、この掛け金１３ａに対向してキャビネット１には前方に突き出したフック１３ｂを備え、これらで外扉２の扉ロック装置を構成している。
【０００５】
この自動販売機は、周知のように商品収納ラックに装備したベンド機構，貨幣処理機構，販売制御部，および庫内の冷却／加熱ユニット，庫内照明灯などを含めて全て商用電源からの電力を使って運転，制御を行うようにしている。
一方、商用電源が停電した場合でも自動販売機での販売動作が継続して行えるようにするために、機内に非常用電源として蓄電池を搭載しておき、商用電源の停電時に電源を商用電源から蓄電池に切換えて販売動作が引き続き行えるようにした自動販売機が既に提案されており、実開平１−６８５７６号，特開平１０−１１６３７９号公報などで公知である。
【０００６】
【発明が解決しようとする課題】
震災などの大規模な災害が発生してその地域のライフライン（電気，水道，ガスなど）が停止した非常時には、災害地域の住民に対する水などの飲料，食料の早急な提供が重要な課題となる。
【０００７】
かかる点、市中に展開している自動販売機は機内の商品収納ラックに商品として飲料，食品を貯蔵していることから、先記のように商用電源の停電対策として機内に蓄電池を搭載しておけば、災害発生でライフラインが停止した場合でも販売機能が維持でき、これにより自動販売機が災害発生時に飲料，食品供給拠点の役割を果たすことが可能となる。
【０００８】
しかしながら、前記のように停電対策として機内に蓄電池を搭載して商品販売を継続的に行えるようにした自動販売機は、大規模な災害発生した状況の下では次記のような問題点が残る。
すなわち、震災などの大規模な災害が発生してライフラインも停止した非常事態の状況下では、お金を持たずに避難した被災者も多く、このような人達は飲料，食品が欲しくても自動販売機で商品を購入することができないし、また地方自治体などによる飲料，食品の非常配給も滞って十分に機能しないことが多い。
【０００９】
そこで、本発明は大規模な災害が発生してライフラインも停止した非常事態では、機内の商品収納ラックに貯蔵している飲料，食品を代金を必要とせずに災害地域の被災者に無料で提供できるような災害対策機能を備えた自動販売機を提供することにある。
【００１０】
【課題を解決するための手段】
上記目的を達成するために、本発明によれば、庫内に商品収納ラックを搭載したキャビネットの前面に扉ロック装置付きの外扉を備え、かつ該外扉の裏面にコインメカニズム,ビルバリデータ,キャッシュボックス、および制御ボックスを設置した自動販売機において、（１）前記外扉に設けた扉ロック装置を、常時はキーの施錠操作による商用電源の通電で外扉を閉位置にロックするとともに、キーの解錠操作によりロックを解除し、商用電源の停止時にロックを解除するよう作動する自動ロック装置となし、商用電源が停止した非常時に自動ロック装置による外扉のロックを解除し、外扉を開いて機内から商品を自由に取り出せるように構成する(請求項１)ものとし、具体的には前記自動ロック装置を、外扉の閉位置でキャビネットから前面に突き出したフックと掛かり合う掛け穴付きスライダと、通電により前記スライダをロック位置に引き上げるソレノイドとから構成し、かつソレノイドと商用電源との間に、外扉に設けたハンドル錠の施錠,解錠に合わせてＯＮ，ＯＦＦ動作するキースイッチの接点を接続する（請求項２）。
【００１１】
上記の構成によれば、通常の販売状態では外扉が閉位置にロックされているが、大規模災害などの発生に伴い地域のライフラインが停止して商用電源も停電した場合には、自動ロック装置のロックが解除されて外扉が自由に開けられる状態となる。これにより、自動販売機の庫内に残っている在庫商品を非常放出用の飲料，食品として災害地域の人達に提供することができる。
【００１２】
(2) コインメカニズム，ビルバリデータ，キャッシュボックス、および制御ボックスを外扉の裏面側に集中して配備し、かつこれら機器を覆って外扉の裏面側に扉式の防盗カバーを設置するするとともに、該防盗カバーに対し、商用電源の停止時にカバーを閉位置にロックする自動ロック装置を設ける（請求項３）ものとし、具体的には前記自動ロック装置を、防盗カバーの閉位置で該カバーに取付けたフックと掛かり合う掛け穴付きスライダと、通電により前記スライダをロック位置に引き上げるソレノイドとで構成し、かつそのソレノイドを商用電源に接続して励磁する（請求項４）。
【００１３】
このように、外扉の裏面側に装備したコインメカニズム，ビルバリデータ，キャッシュボックス、および制御ボックスを防盗カバーで覆い、かつこの防盗カバーを商用電源の停止時に閉位置にロックして開放できないようにすることで、災害時に外扉を開放して庫内の商品を自由に取り出せるようにした際に、コインメカニズム，ビルバリデータ，キャッシュボックスに貯留されている現金が不当に盗みだされたり、制御ボックスが悪戯されたりするのを防止できる。
【００１４】
（３）また、前記とは別な解決手段として、外扉の一角に非常扉を設けてその内側に外扉の扉ロック装置に連結した手動式の扉開放ハンドルを組み込むとともに、前記非常扉に対し、常時は商用電源の通電で非常扉を閉位置にロックし、商用電源の停止時にロックを解除するよう作動する自動ロック装置を設けた構成がある（請求項５）。
【００１５】
なお、このような災害対策機能を備えた自動販売機を地域内の全てに設置することは直ちには困難ではあるが、少なくとも大規模災害時の避難場所となる公共施設などに設置する自動販売機に適用すれば災害対策の一端として役立つ。また、災害発生に伴う停電以前に販売した商品の数量などの販売データを制御部に備えた不揮発性メモリーに記憶しておけば、非常時に自動販売機から取出して無料提供した商品の数量を後から確認できる。
【００１６】
【発明の実施の形態】
以下、本発明の実施の形態を図示実施例に基づいて説明する。なお、実施例の図中で図４に対応する同一部材には同じ符号を付してその説明は省略する。
【００１７】
まず、図１(a),(b) ，および図２(a),(b) に本発明による災害対策機能を持たせた自動販売機の実施例の構成を示す。
【００１８】
図示実施例においては、外扉２の扉ロック装置が次記のように商用電源の停止で自動的にロックを解除する電磁式の自動ロック装置１６として構成されている。また、外扉２の裏面側の一角には図２(a) で示すようにコインメカニズム１０，ビルバリデータ１１，キャッシュボックス１４，制御ボックス１５を集中的に配置した上で、これら機器を覆って外扉２の裏面には防盗カバー１７が新たに設置されており、かつ防盗カバー１７に対しては商用電源の停止で自動的にロックを掛ける電磁式の自動ロック装置１８を備えている。なお、防盗カバー１７には自動ロック装置１８とは別にカバーを手動で開閉する簡単な掛け金（図示せず）を備えている。
【００１９】
ここで、外扉２の自動ロック装置１６は、フック１６ａ，板面にフックの掛け穴（高さｄの角穴）１６ｂ‐1を開口したスライダ１６ｂと、スライダ１６ｂを上方に駆動するソレノイド１６ｃと、スライダ１６ｂを案内支持するスライダカバー１６ｄとからなり、ここでフック１６ａは先端を下向きにしてキャビネット１に取付け、スライダ１６ｂ，ソレノイド１６ｃ，スライダカバー１６ｄの組立体がフック１６ａに対向して外扉２に取付けられている。
【００２０】
かかる構成で、外扉２が閉じた状態でソレノイド１６ｃがＯＦＦ（無通電）であれば、図１(c) で示すようにスライダ１６ｂが自重で下降してフック１６ａと掛け穴１６ｂ‐1とが同じ高さに並ぶ。したがってロック解除の状態となる。これに対して、ソレノイド１６ｃがＯＮ（通電）であれば、図１(d) で示すようにスライダ１６ｂが上方に引き上げられてフック１６ａと掛け穴１６ｂ‐1とが係合したロック状態となる。
【００２１】
また、前記ソレノイド１６ｃは商用電源１９にキースイッチ２０の接点を介して接続されている。このキースイッチ２０は、外扉２に配した錠（シリンダ錠）付きハンドル１３（図３(a) 参照）に連係し、キー１３ａの操作による施錠，解錠に対応して接点がＯＮ，ＯＦＦ動作する。
【００２２】
一方、防盗カバー１７の自動ロック装置１８は、図２のようにフック１８ａ，板面にフックの掛け穴（高さｄの角穴）１８ｂ‐1を開口したスライダ１８ｂと、スライダ１８ｂを上方に駆動するソレノイド１８ｃと、スライダ１８ｂを案内支持するスライダカバー１８ｄとからなり、ここでフック１８ａは先端を上向きにして防盗カバー１７に取付け、スライダ１８ｂ，ソレノイド１８ｃ，スライダカバー１８ｄの組立体がフック１８ａに対向して外扉２の裏面側に取付けられている。また、ソレノイド１８ｃは商用電源１９に接続されている。
【００２３】
かかる構成で、防盗カバー１７が閉じた状態でソレノイド１８ｃがＯＮ（通電）であれば、図２(d) で示すようにスライダ１８ｂが上方に引き上げられてフック１８ａと掛け穴１８ｂ‐1とが同じ高さに並び、防盗カバー１７はロック解除の状態にある。これに対して、ソレノイド１８ｃがＯＦＦ（無通電）になると、図２(c) で示すようにスライダ１８ｂが自重で下降してフック１８ａと掛け穴１８ｂ‐1とが係合してロックが掛かる。
【００２４】
次に、上記構成になる災害対策用自動販売機の通常時，および災害発生時における外扉の挙動について述べる。すなわち、自動販売機に電力を供給する商用電源１９が正常である通常の状態では、外扉２を閉じてその主錠（ハンドル１３のシリンダ錠）を施錠すると、その自動ロック装置１６にロックが掛かる（図１(d) 参照）ので外扉２は自由に開けることができない。これに対して、防盗カバー１７は商用電源１９の通電中はロックが解除（図２(d) 参照）されて保守員が防盗カバー１７を自由に開けることができる状態にある。なお、商用電源が一時的に停電（瞬断）しても、電源が回復すれば元の状態に復帰する。
【００２５】
一方、自動販売機のロケーション先で震災などの大規模な災害が発生して電気，水道，ガスなどのライフラインも停止した非常事態になると、商用電源１９が無通電になって外扉２の自動ロック装置１６のロックが自動的に解除（図１(c) 参照）される。したがってこの状態になれば、自動販売機のキー１３ａ（図１(b) 参照）を使わずに外扉２，内扉３を開け、機内の商品収納ラックに収納されている在庫商品（飲料，食品）を取り出して被災者に提供できる。なお、この自動販売機には、その外扉の前面などに「災害対策用自動販売機」である旨，および「災害発生時に商品を取り出す操作手順」などの表示をしておくものとする。
【００２６】
また、商用電源１９が停止すると、防盗カバー１７の自動ロック装置１８にロックが掛かり、防盗カバー１７が手では開けられなくなる。つまり、前記のように緊急災害時に自動販売機の外扉２を開放して庫内の商品を自由に取り出せるようにした場合に、図４のように外扉２の裏面側に装備したコインメカニズム１０，ビルバリデータ１１，キャッシュボックス１４などの金銭処理装置，および制御ボックス１５が剥き出しに露呈していると、これら金銭処理装置に貯留されている売上，釣銭などの金銭が不当に盗みだれさるおそれがあるが、図示例のように金銭処理装置，制御ボックスに被せた防盗カバー１７をロックすることで、金銭の盗み出し，制御ボックス１５への悪戯を防止できる。
【００２７】
なお、制御部で災害発生に伴う停電以前に販売した商品の数量などの販売データを制御部に備えた不揮発性メモリーに記憶しておけば、災害発生で自動販売機から取出して無料提供した商品の数量を後から確認できる。
【００２８】
次に、本発明の請求項５に対応する別な実施例を図３(a),(b) に示す。この実施例においては、外扉２の前面一角に片開き式の非常扉２１を設けてその内方に画成したポケット部に手動式の外扉開放用ハンドル２２を設置するとともに、この非常扉２１に対して常時は閉位置にロックし、大規模な災害が発生して商用電源が停止した場合にロックを外す自動ロック装置を備えている。なお、前記の非常扉２１はばねなどで閉じる方向に付勢しておくものとする。
【００２９】
ここで、前記ハンドル２２はその後端に連結したレバーを介して図４に示した掛け金１３ａに連結されており、ハンドル２２を手動で操作することにより、外扉２の主錠（錠付きハンドル１３のシリンダ錠）が施錠されている状態でも、掛け金１３ａとフック１３ｂとの係合を外して外扉２を自由に開くことができる。一方、非常扉２１の裏面にはストライクプレート２１ａを取付け、このストライクプレート２１ａに対向して外扉２側には商用電源１９に接続して励磁されるソレノイド２３、およびソレノイド２３に連結したラッチボルト２３ａを設け、これら各部品で非常扉２１の自動ロック装置を構成している。なお、ラッチボルト２３ａはソレノイド２３の通電時にはストライクプレート２１ａに向けて突き出すように駆動され，ソレノイド２３が無通電になると復帰ばね（図示せず）で後退してストライクプレート２１ａとの係合が外れる。
【００３０】
かかる構成で、商用電源１９が通電状態にあれば、非常扉２１は閉位置でロックが掛かり、外部から開けることができない。一方、大規模な災害が発生してライフラインも停止した状況では、商用電源１９が無通電となって非常扉２１のロックが解除される。したがってこの状態になれば、非常扉２１を開いた上でその内側のハンドル２２を手動で回して外扉２をキーを使わずに開放し、機内の商品収納ラックに収納されている商品を自由に取り出すことかできる。
【００３１】
なお、図３には示してないが、この実施例においても外扉２の裏面側には図２で述べたと同様に、各金銭処理装置，制御部など対して防盗カバー１７を設けておくものとする。
【００３２】
【発明の効果】
以上述べたように、本発明の自動販売機によれば、常時はキャビネットの前面外扉を閉位置にロックしてお金の投入による通常の商品販売を行い、大規模災害などの発生でライフラインも停止した非常事態の場合には、外扉，ないし非常扉のロックを自動解除し、この状態から外扉を開いて自動販売機の庫内に残っている在庫商品を機外からの手動操作により搬出し、非常放出用の飲料，食品として災害地域の被災者に無料で提供することができ、これにより自動販売機を大規模災害発生時の飲料，食品提供の拠点として活用できる。
【図面の簡単な説明】
【図１】本発明実施例の構成図であり、(a) は自動販売機の外扉開放状態の外観図、(b) は外扉の扉ロック装置の構造を表す正面図、(c),(d) はそれぞれロック解除，ロック状態を表す扉ロック装置の側面図
【図２】図１における防盗カバー，およびその周辺の構成図であり、(a) は防盗カバー開放状態の外観図、(b) は防盗カバーのロック装置の構造を表す正面図、(c),(d) はそれぞれロック解除，ロック状態を表す防盗カバーロック装置の側面図
【図３】図１と異なる本発明実施例の構成図であり、(a) 自動販売機の正面図、(b) は(a) 図における非常扉の開放状態を表すその周辺構造の斜視図
【図４】本発明の実施対象となる自動販売機の従来例の構成図であり、(a) は正面図、(b) は外扉，内扉を開放した状態を表す外観図
【符号の説明】
１    自動販売機のキャビネット
２    外扉
４    商品収納ラック
８    商品取出口
１０    コインメカニズム
１０ａ  コイン投入口
１１    ビルバリデータ
１１ａ  紙幣投入口
１３    外扉の錠付きハンドル
１６    自動ロック装置
１６ａ  フック
１６ｂ  スライダ
１６ｃ  ソレノイド
１７    防盗カバー
１９    商用電源
２０    キースイッチ
２１    非常扉
２１ａ  ストライクプレート
２２    手動式扉開放用ハンドル
２３    非常扉のロック用ソレノイド
２３ａ  ラッチボルト
【図１】
0003763217.tif 000002
【図２】
0003763217.tif 000003
【図３】
0003763217.tif 000004
【図４】
0003763217.tif 000005